(57)【特許請求の範囲】
【請求項１】
部材本体と、
部材本体の周面上に形成されたアンダー層と、
アンダー層上に形成されたベース層と、
ベース層上に形成された、合成マイカに酸化チタン及び／または酸化鉄の被覆層を施したパール片を樹脂に混入してなる光揮層と、
前記光揮層の表面に形成されたクリアー層と、
を備えた釣用具。
【発明の詳細な説明】
【０００１】
【発明の属する技術分野】
本発明は、釣竿，リール等の釣り用具に関する。
【０００２】
【従来の技術】
従来の釣竿やリール等の釣り用具には、釣り用具の表面に光輝性を有する層を設けたものがある。この種の釣り用具は、釣り用具本体の表面上に形成された下塗り層と、下塗り層上に設けられ光反射用粒子を樹脂に散りばめた光輝層と、反射層上に塗布されたクリア層とを有している。
【０００３】
この従来の釣り用具において、光反射用粒子として天然マイカ片を使用したものがある。天然マイカは、アルミニウム，カリウム，ナトリウムなどを含むケイ酸塩鉱物であり、平行に薄く剥がれやすい性質を有している。天然マイカを薄く剥がした小片にチタン等のコーティングを施したものを透明な樹脂中に混在させて、これによって光輝層を形成して入射した光を散乱させて美しいパール光沢を浮かび上がらせている。
【０００４】
【発明が解決しようとする課題】
従来の天然マイカは不純物等によってやや黄色味がかっており、この天然マイカを用いて光輝層を形成すると、黄色味がかった光沢になり、透明なパール光沢をだしきれず、彩度も十分でない場合がある。特に、立体的な曲面を有する釣竿やリール等の釣り用具に用いた場合において、立体曲面に生じる陰の部分に黄色味がかった光沢が浮き出て見えて美観を損ねる恐れがある。
【０００５】
また、釣竿において天然マイカを用いた場合、仕掛けに魚がかかって釣竿が湾曲した際に天然マイカが黄色の光沢を発色するので、釣竿の湾曲を目視しにくく「あわせ」のタイミングをつかみにくい場合もある。
本発明の課題は、透明なパール光沢で良好な外観を有する釣り用具を提供することにある。
【０００６】
【課題を解決するための手段】
発明１にかかる釣り用具は、部材本体と、部材本体の周面上に形成されたアンダー層と、アンダー層上に形成されたベース層と、ベース層上に形成された、合成マイカに酸化チタン及び／または酸化鉄の被覆層を施したパール片を樹脂に混入してなる光揮層と、前記光揮層の表面に形成されたクリアー層とを備えている。この場合には、光輝層において、屈折率の高い酸化チタン及び／または酸化鉄の被膜及び屈折率の低い合成マイカと樹脂との境界で光が反射して、パール状の光沢をもたらす。この光輝層には合成マイカが用いられており、透明な光沢を発色し立体曲面においても黄色がかった陰が生じないので、良好な外観を演出できる。また特に、釣竿にこの光輝層を設けた場合には、仕掛けに魚がかかって釣竿が湾曲しても不要な陰が表面に浮かび上がらないので、釣竿の湾曲を目視しやすく釣竿の操作が容易になる。
【０００７】
なお、この合成マイカとは、酸化アルミ，酸化マグネシウム，二酸化ケイ素，フッ素化合物等の原料を高温で溶解させた後に結晶化させたものである。
【０００８】
【発明の実施の形態】
以下、本発明の一実施形態について図面を参照しつつ説明する。
本発明の一実施形態を採用した釣竿は、図１に示すように、元竿１と、元竿１の穂先側に振り出し形式で連結された穂先側竿体ユニット２とを有している。
元竿１はわずかに先細りの筒状に形成され、外周面上にはリール３が装着可能なリールシート４が形成されている。また、元竿１の先端部（穂先側）にはリール３からの釣糸Ｌを竿の内部に導入するための糸導入孔５が形成されている。
【０００９】
穂先側竿体ユニット２は、トップガイド１０を有する最も穂先側の１番竿１１と、１番竿１１を支持するとともにこの１番竿１１を内部に収納可能な２番竿１２と、２番竿１２を内部に収納可能でかつ元竿１に挿入可能な３番竿１３とを有している。このように、穂先側竿体ユニット２を構成する３本の竿１１〜１３は先細りの筒状に形成されている。そして、これらの竿の内部には、釣糸Ｌが挿通する糸挿通路Ｐが形成される。また、トップガイド１０の先端には、釣糸Ｌを外部に導出するための糸導出口１１ａが形成されている。なお、糸挿通路Ｐや糸導入孔５及び糸導出口１１ａの開口端縁には、セラミック製のガイドリングが設けられている。そして、リール３からの釣糸Ｌは糸導入孔５より糸挿通路Ｐに導入され、トップガイド１０の糸導出口１１ａから外部へ導かれる。
【００１０】
これら元竿１及び竿体ユニット２は、図２に示すように、元竿１及び竿体ユニット２の部材本体２０と、部材本体２０の周面上に形成されたアンダー層２１と、アンダー層２１上に形成されたベース層２２と、ベース層２２上に形成された光輝層２３と、光輝層２３の表面に形成されたクリアー層２４とを有している。
元竿１及び竿体ユニット２を構成する部材本体２０は、炭素繊維やガラス繊維等で強化された繊維強化樹脂からなる。表面は平滑になるように所定の表面処理が施されている。アンダー層２１は、部材本体２０とベース層２２等との密着性を向上させるべく部材本体２０の周面上に塗布されて形成されたものであり、例えば、エポキシ系樹脂塗材を塗布することによって形成される。ベース層２２は、光輝層２３のパール光沢をより鮮明にするために設けられる層であって、エポキシ系樹脂，ウレタン樹脂系の樹脂材に必要に応じて様々な色を付したものである。部材本体２０自体の色に影響を受けないように不透明層とするのが好ましい。例えば、白色層とすれば、光輝層２３を透過した光を反射して光輝層２３のパール光沢の色効果を低減させる。黒色層とすれば、光輝層２３を透過した光を吸収して光輝層２３のパール光沢を際立たせる。
【００１１】
光輝層２３は、パール片２３ａを樹脂２３ｂに混入したものである。このパール片２３ａは、図３に示すように、薄板状の合成マイカ３１に酸化チタン皮膜３２が施されたフレーク状の部材である。合成マイカ３１は、酸化アルミ，酸化マグネシウム，二酸化ケイ素，フッ素化合物等の原料を１０００〜１５００℃程度の高温で溶解させた後に結晶化させた薄箔状のものである。酸化チタン皮膜３２は、合成マイカ３１全体を被覆するように設けられている。酸化チタン（ＴｉＯ2 ）に代えて三酸化二鉄（Ｆｅ2 Ｏ3 ）を用いて被膜層を形成してもよく、酸化チタン及び三酸化二鉄を積層させた二重の被覆構造としてもよい。この被膜３２の厚みや種類によって光沢が様々に変化する。このパール片２３ａとしては、例えば、アルティミカ（商標；日本光研工業（株））等を用いることができる。なお、樹脂２３ｂは透明または半透明のウレタン系樹脂やアクリルウレタン系樹脂である。
【００１２】
クリアー層２４は、光輝層２３の表面を保護するために設けられるものであり、透明または半透明の樹脂層である。
このように構成された釣竿では、図３に示すように、光輝層２３において、屈折率の高い酸化チタン被膜３２及び屈折率の低い合成マイカ３１と樹脂２３ｂとの境界で光が反射して、様々な光反射が生じてパール状の光沢をもたらす。この光輝層２３には合成マイカ３２が用いられているので、透明な光沢を発色し立体曲面においても黄色がかった陰が生じない。この結果、立体的な曲面を多く有する釣り用具において良好な外観を演出できる。また、仕掛けに魚がかかって釣竿が湾曲した場合にも、元竿１及び竿体ユニット２の種面に不要な陰が浮かび上がらないので、釣竿の湾曲を目視しやすく釣竿の操作が容易になる。
【００１３】
［他の実施形態］
（ａ）上記実施の形態では、アンダー層２１，ベース層２２，クリアー層２４とを設けているが、これらは必要に応じて設ければよく、さらに他層を設けてもよい。
（ｂ）ルアーの表面やリール本体にこの光輝層を設けてもよい。
【００１４】
【発明の効果】
本発明によれば、透明なパール状の光沢で良好な外観を有する釣り用具を得ることができる
【図面の簡単な説明】
【図１】本発明の一実施形態を採用した釣竿の全体図。
【図２】図１の釣竿の元竿１及び竿体ユニット２の拡大断面図。
【図３】図２の光輝層２３の一部の拡大断面図。
【符号の説明】
１  元竿
２  竿体ユニット
２０  部材本体
２１  アンダー層
２２  ベース層
２３  光輝層
２３ａ  合成マイカ
２３ｂ  樹脂
２４  クリアー層
【図１】
0003982660.tif 000002
【図２】
0003982660.tif 000003
【図３】
0003982660.tif 000004